(57)【要約】  【課題】  安価に製造することができ、又計量判別手段の視認性をよいものとすることができる計量キャップを得ることを目的とする。  【解決手段】  計量判別手段を備えた蓋部２０を有する計量キャップ１であって、該蓋部２０を透明又は半透明の樹脂材料により成形されるものとし、又、該計量判別手段を、該蓋部２０の高さ向に延在するものとする。又、該計量判別手段を、蓋部２０の周壁２２の外側面２２ｂに形成され、計量の目安を表示する計量表示部２４ａ，２４ｂを有するローレット２４を含むものとする。  【選択図】  図１
2005263242.tif 000002
【特許請求の範囲】
【請求項１】
計量判別手段を備えた蓋部を有する計量キャップであって、該蓋部を、透明又は半透明の樹脂材料により成形されるものとし、又該計量判別手段を、該蓋部の高さ方向に延在するものとすることを特徴とする計量キャップ。
【請求項２】
該蓋部はキャップ本体を介して容器に装着されるものであり、該キャップ本体は、該容器の口部に嵌着される嵌着筒と、該蓋部が螺合される螺合筒と、プルリングにより切り裂き可能な中央蓋体部を底部に有する注出筒とを有するものであることを特徴とする請求項１記載の計量キャップ。
【請求項３】
該計量判別手段が複数有ることを特徴とする請求項１又は２記載の計量キャップ。
【請求項４】
該計量判別手段が、該蓋部の外側面及び又は内側面に刻設され、計量の目安を表示する計量表示部としての目盛りを含むものであり、そして該目盛りは、その全高が該蓋部の全高と略同一であることを特徴とする請求項１乃至３の何れかに記載の計量キャップ。
【請求項５】
該計量判別手段が、該蓋部の外側面に形成され、計量の目安を表示する計量表示部を有するローレットを含むものであることを特徴とする請求項１乃至４の何れに記載の計量キャップ。
【請求項６】
該ローレットにおける該計量表示部が、該ローレットの高さ方向の端部により計量の目安を表示するものであることを特徴とする請求項５記載の計量キャップ。
【請求項７】
該ローレットにおける該計量表示部が、該ローレットの模様により計量の目安を表示するものであることを特徴とする請求項５又は６記載の計量キャップ。
【請求項８】
該目盛りの刻設位置において、該蓋部に形成される該ローレット及び又は該螺合部が欠落せしめられていることを特徴とする請求項５乃至７の何れかに記載の計量キャップ。
【請求項９】
該計量判別手段が、該蓋部の内側に設けられ、計量の目安を表示する計量表示部を有するインナーリングを含むものであることを特徴とする請求項１乃至８の何れかに記載の計量キャップ。
【請求項１０】
該インナーリングにおける該計量表示部が、開口側端縁部により構成される計量表示端縁部であることを特徴とする請求項９記載の計量キャップ。
【請求項１１】
内側にインナーリングを有する蓋部を透明又は半透明の樹脂材料により成形し、該蓋部の外側面に目盛りを該蓋部の高さ方向に延在させて刻設し、該蓋部の外側面にローレットを形成するとともに該蓋部の内側面に螺合部を形成し、該ローレット及び該螺合部を該目盛りの刻設位置においては欠落せしめ、該ローレットの高さ方向の一方の端部を計量表示端部として該目盛りの中間位置の高さと同一の高さに位置せしめるとともに、該ローレットの高さ方向のもう一方の端部を計量表示端部として該目盛りの最大位置の高さと同一の高さに位置せしめ、該インナーリングの開口縁部を計量表示周縁部として該目盛りの中間位置の高さと同一の高さに位置せしめたことを特徴とする計量キャップ。
【発明の詳細な説明】
【技術分野】
【０００１】
この発明は、容器のキャップであって、その容器内容物の注出量を計量することができるキャップ、即ち計量キャップに関する。
【背景技術】
【０００２】
この種の計量キャップの従来例として、内周面にねじ部を有する有底円筒状のキャップの上壁下面に同心一体に円筒状の計量部を設けたものがある（特許文献１参照）。
【特許文献１】実願昭５２−１０５０４７号マイクロフィルム
【０００３】
前記従来の計量キャップは、キャップの内側に位置する計量部により計量を行うことができる様にすることで、内周面に螺合部を有するキャップにより計量を行うことによる不具合、例えば、計量後に螺合部に付着残留する容器内容物により生じる容器本体の汚れ等の不具合を解消することができる。
【発明の開示】
【発明が解決しようとする課題】
【０００４】
しかしながら、前記従来の計量キャップの如きキャップの場合、キャップの内側に更に筒状部を設けることとなるので、当然のことながらその製造コストは高いものとなる。
【０００５】
更に、環境意識の高い消費者からは、前記従来の計量キャップの如きキャップについて、使用に際し毎回計量を行うわけではないので、キャップ内に更に筒状部を形成してまで計量部を設ける必要はないのではないかとの声もある。又、この筒状部はキャップの内側に設けられるため、その筒径は小さいものとなり、比較的大容量の計量を所望するときには、筒状部を延設しなければならず、キャップ本体側の設計の自由度が制限される。
【０００６】
キャップ内に筒状の計量部は設けずに、キャップにより計量を行うことができる様にすれば、製造コストの問題を解消することができるし、又環境意識の高い消費者の声にも答えることができるが、この場合、正確な計量を行うことができる様にするには、キャップに計量の目安となる計量判別手段（例えば目盛り等）を設けるのが好ましい。
【０００７】
しかしながら、キャップに計量判別手段を設ける場合、キャップ周壁の内側面に螺合部が形成されているものにおいては、計量判別手段と螺合部とが重なり、計量判別手段の視認性が悪いものになってしまう。又、キャップ周壁の外側面に計量判別手段を設ける場合、キャップの開閉に際しての手指の滑り止め用のローレットをその外側面に形成するものにおいては、計量判別手段との兼ね合いから、十分な滑りとめ機能を奏する様にローレットを形成するのが困難なものとなってしまう。
【０００８】
この発明は、上記事情に鑑み、安価に製造することができ、又計量判別手段の視認性をよいものとすることができる計量キャップを得ることを目的とするものである。
【０００９】
更に、この発明は、上記事情に鑑み、計量判別手段を備えつつも、十分な滑り止め機能を奏する様にローレットを形成することができる計量キャップを得ることを目的とするものである。
【課題を解決するための手段】
【００１０】
上記目的を達成するこの発明について述べれば、次の通りである。
【００１１】
この発明は、計量判別手段を備えた蓋部を有する計量キャップであって、該蓋部を、透明又は半透明の樹脂材料により成形されるものとし、又該計量判別手段を、該蓋部の高さ方向に延在するものとすることを特徴とする計量キャップである。
【００１２】
又、この発明は、該蓋部はキャップ本体を介して容器に装着されるものであり、該キャップ本体は、該容器の口部に嵌着される嵌着筒と、該蓋部が螺合される螺合筒と、プルリングにより切り裂き可能な中央蓋体部を底部に有する注出筒とを有するものであることを特徴とする計量キャップである。
【００１３】
又、この発明は、該計量判別手段が複数有ることを特徴とする計量キャップである。
【００１４】
又、この発明は、該計量判別手段が、該蓋部周壁の外側面及び又は内側面に刻設され、計量の目安を表示する目盛りを含むものであることを特徴とする計量キャップであり、更に該目盛りが、その全高を蓋部の全高と略同一とするものであることを特徴とする計量キャップである。
【００１５】
又、この発明は、該計量判別手段が、該蓋部の周壁外側面に形成され、計量の目安を表示する計量表示部を有するローレットを含むものであることを特徴とする計量キャップである。ここで、該ローレットの該計量表示部は、ローレットの高さ方向の端部により計量の目安を表示するものとしてもよいし、及び又はローレットの模様により計量の目安を表示するものとしてもよい。更に、該ローレットの該計量表示部は、一の量のみを表示するものとしてもよいし、二以上の異なる量を表示するものとしてもよい。
【００１６】
又、この発明は、該目盛りの刻設位置において、該蓋部に形成される該ローレット及び又は該螺合部が欠落せしめられていることを特徴とする計量キャップである。
【００１７】
又、この発明は、該計量判別手段が、該蓋部周壁の内側に設けられ、計量の目安を表示する計量表示部、例えば開口側端縁部により構成される計量表示端縁部を有するインナーリングを含むものであることを特徴とする計量キャップである。
【００１８】
又、この発明は、内側にインナーリングを有する蓋部を透明又は半透明の樹脂材料により成形し、該蓋部の周壁外側面に目盛りを該蓋部の高さ方向に延在させて刻設し、該蓋部の周壁外側面にローレットを形成するとともに該蓋部の内側面に螺合部を形成し、該ローレット及び該螺合部を該目盛りの刻設位置においては欠落せしめ、該ローレットの高さ方向の一方の端部を計量表示端部として該目盛りの中間位置の高さと同一の高さに位置せしめるとともに、該ローレットの高さ方向のもう一方の端部を計量表示端部として該目盛りの最大位置の高さと同一の高さに位置せしめ、該インナーリングの開口縁部を計量表示周縁部として該目盛りの中間位置の高さと同一の高さに位置せしめたことを特徴とする計量キャップである。
【発明の効果】
【００１９】
この発明によれば、蓋部に計量判別手段を設けているので、蓋部の内側に更に筒状の計量部等を設ける必要をなくすることができることから、計量キャップを安価に製造することができるとともに、キャップデザインの自由度を増すことができ、更に環境意識の高い消費者の声にも答えることがでる。又、計量判別手段を有する蓋部を透明又は半透明の樹脂材料により成形しているので、計量判別手段を蓋部の内外から視認することができ、計量判別手段の視認性をよいものとすることができる。
【００２０】
又、この発明によれば、計量判別手段が複数あるので、計量判別手段を計量の目的等に応じて複数のものから適宜選択して計量判別を行うことができる。
【００２１】
又、この発明によれば、計量判別手段としてのローレットの計量表示端部により計量判別を行うことができることで、計量判別手段を備えつつも、滑り止め機能が十分得られる様にローレットを形成することができる。
【００２２】
又、この発明によれば、計量判別手段としてのローレットの計量表示端部により、又計量判別手段としてのインナーリングの計量表示端縁部により計量判別を行うことができることで、即ち計量判別手段における周方向に延在する計量表示部により計量判別を行うことができることで、計量判別手段の視認性をよいものとすることができる。特に、周方向に複数延在するローレットの計量表示端部により計量判別を行うことができることで、計量判別手段の視認性を大幅に向上させることができ、例えば、ユーザーが老人等の視力が低下している人であっても、一目でその計量の目安を視認することができ、ユーザーに対して優しい、所謂ユーザーフレンドリーな計量キャップを得ることができる。
【００２３】
又、この発明によれば、計量判別手段としての目盛りの刻設位置において、上蓋に形成されるローレット及び又は螺合部を欠落せしめていることで、計量判別手段としての目盛りが上蓋に形成されるローレット及び又は螺子部と重なることをなくすることができ、計量判別手段としての目盛りの視認性をよいものとすることができる。
【発明を実施するための最良の形態】
【００２４】
この発明の実施の形態を図１乃至図３に基づき説明する。
【００２５】
尚、図１は、この発明の第１の実施の形態を示す図で、上蓋の一部断面拡大正面図であり、図２の（ａ）乃至（ｃ）は、同上の、正面図、底面図及び断面図であり、図３の（ａ）及び（ｂ）は、この発明の第２の実施の形態を示す図で、上蓋がキャップ本体に螺着された状態における一部断面正面図及び正面図であり、第１の実施の形態と第２の実施の形態に共通の構成は、図１乃至図３を通じて同一図面符号を付してある。
【００２６】
図１乃至図３において、計量キャップ１は、容器の口部等に装着されるキャップ本体１０と、そのキャップ本体１０に螺合され、蓋部の一例である上蓋２０とを有する。尚、第１の実施の形態と第２の実施の形態は、何れも、容器の口部等に装着されるキャップ本体１０と、そのキャップ本体１０に螺合される蓋部の一例である上蓋２０とを有する計量キャップ１を例示しているが、この発明の計量キャップは、前記キャップ本体の如き中間部材を介さずに直接容器に蓋部が装着される計量キャップにも適用は勿論可能である。
【００２７】
上蓋２０は、透明又は半透明の樹脂材料により成形され、頂壁２１より垂下する如く設けられた筒状の周壁２２を有する。周壁２２の内側面２２ａには螺合部２３が形成されており、螺合部２３がキャップ本体１０の螺合部１４と螺合することで、上蓋２０はキャップ本体１０に螺着される。又、周壁２２の外側面２２ｂには、上蓋２０の高さ方向に延在する複数の突条が上蓋２０の周方向に連続して配置されることで構成されるローレット２４が形成されており、このローレット２４は、使用者が上蓋２０とキャップ本体１０の脱着をする際に、その手指の滑り止めの機能を果たす。更に、上蓋２０は、周壁２２の内側に頂壁２１より垂下する如く設けられるとともに周壁２２と同心状に配置された筒状のインナーリング２６を有しており、このインナーリング２６は、その開口側周縁部がキャップ本体１０の注出筒１５の注出口１５ａと接合するようになっている。
【００２８】
キャップ本体１０は、容器の口部に嵌着される嵌着筒１１，１２と、上蓋２０と螺合する螺合部１４を有する螺合筒１３と、底部に容器口部を閉塞する中央蓋体部１６を有する注出筒１５等の筒状部を有しており、これらの筒状部が同心状をなして配置されている。尚、図示は省略するが、中央蓋体部１６には裂溝が形成されており、中央蓋体部１６に支柱１８を介してプルリング１７を引くことで、裂溝を切り裂き、中央蓋体部１６に注出用開口を形成することができる様になっている。
【００２９】
上蓋２０は、その高さ方向に延在して外側面２２ｂに刻設され、使用者に対して計量の目安を表示する目盛り２５を計量判別手段として有している。この目盛り２５の全高は、上蓋２０の全高より若干低く設定され、上蓋２０の全高と略同一となっている（これに代えて、目盛り２５の全高を上蓋２０の全高と全く同一に設定してもよい。）、更にこの目盛り２５は、１０の目盛りを有し、その１目盛りが１ｍｌの量を表し、５ｍｌと１０ｍｌの目盛りの位置に夫々５と１０の数字が付されている。
【００３０】
ここで、上蓋２０に形成されるローレット２４及び螺合部２３は、この目盛り２５の刻設位置を除外して形成されており、目盛り２５とローレット２４及び螺合部２３が重ならない様になっている。
【００３１】
上蓋２０において、ローレット２４は計量判別手段としての機能も有している。即ち、ローレット２４の高さ方向の端部は、使用者に対して計量の目安を表示する計量表示部の一例としての計量表示端部を構成している。第１の実施の形態、即ち図１及び図２に示した実施の形態においては、ローレット２４における計量表示端部２４ａ，２４ｂは、ローレット２４の高さ方向の両端部により構成され、第２の実施の形態、即ち図３に示した実施の形態においては、ローレット２４における計量表示端部２４ｃは、ローレット２４の高さ方向の一方の端部のみ、具体的には計量の際に下方に位置することとなる計量表示端部２４ｃのみにより構成されている。
【００３２】
第１の実施の形態において、ローレット２４の一方の表示端部２４ａは目盛り２５の全高（目盛りの最大位置）と同一の高さに位置し、もう一方の表示端２４ｂは目盛り２５の中間位置と同一の高さに位置している。又、第２の実施の形態において、ローレット２４の計量表示端部２４ｃは目盛り２５の中間位置と同一の高さに位置し、ローレット２４の他方の端部は上蓋２０の開口周縁に至る位置に位置している。
【００３３】
尚、第１の実施の形態及び第２の実施の形態において、計量表示端部２４ａ，２４ｂ，２４ｃの高さは夫々において全て同一とし、表示する計量の目安を夫々において一の量としているが、これに代えて、計量表示端部２４ａ，２４ｂ，２４ｃの高さに夫々において高低差を設け、表示する計量の目安を夫々において二以上の量としてもよい。例えば、図示は省略するが、ローレット２４を上蓋２０の周方向において適当に区分（例えば、２分の１周、３分の１周、又は４分の１周等の使用者が判別しやすい区分）し、各区分で計量表示端２４ａ，２４ｂ，２４ｃの高さに高低差を設け（更に、区分の間にローレット２４を欠落させてもよく、更にその欠落部分に目盛りを設けてもよい。）、各区分で異なる量を表示する様にしてもよい。
【００３４】
更に、図示は省略するが、本実施の形態におけるローレット２４の計量表示部としての計量表示端部２４ａ，２４ｂに換えて、又はそれに加えてローレット２４における模様により計量の目安を表示する計量表示部を設けるようにしてもよい。例えば、ローレット２４をダイヤ柄（上下方向に１つ、周方向に複数）を刻設することにより形成し、その上下の角部により計量表示端部を構成してもよく、この場合左右の角部によっても計量表示部を構成することができる。更に例えば、ローレット２４を、小柄（例えばダイヤの小柄）を上下左右に複数規則的に刻設することにより形成し、小柄の列の上下端により計量表示端部を構成してもよく、この場合小柄の列を目盛り代わりにすることもできる。
【００３５】
上蓋２０において、インナーリング２６は計量判別手段としての機能も有している。即ち、インナーリング２６の開口側周縁部は、使用者に対して計量の目安を表示する計量表示部の一例としての計量表示周縁部２６ａを構成している。本実施の形態において、インナーリング２６の計量表示周縁部２６ａは、目盛り２５の中間位置と同一の高さに位置している。
【００３６】
上記計量キャップ１によれば、計量判別手段を有する上蓋２０を透明又は半透明の樹脂材料により成形しているので、計量判別手段を上蓋２０の内外から視認することができ、計量判別手段の視認性をよいものとすることができる。
【００３７】
更に、上記計量キャップ１によれば、計量判別手段として、目盛り２５、ローレット２４、インナーリング２６の複数の手段を有しているので、それら複数の手段から使用者は適宜手段を選択して計量判別を行うことができる。
【００３８】
更に、上記計量キャップ１によれば、目盛り２５の刻設位置において、上蓋２０に形成されるローレット２４及び螺合部２３を欠落させているので、目盛り２５が上蓋２０に形成されるローレット２４及び螺子部２３と重なることがなく、目盛り２５の視認性をよいものとすることができる。
【００３９】
更に、上記計量キャップ１によれば、ローレット２４の計量表示端部２４ａ，２４ｂにより計量判別を行うことができるので、計量判別手段を備えつつも、ローレット２４を滑り止め機能が十分得られる様に形成することができる。
【００４０】
更に、上記計量キャップ１によれば、ローレット２４の計量表示端部２４ａ，２４ｂにより、又インナーリング２６の計量表示端縁部２６ａにより計量判別を行うことができるので、即ち計量判別手段において周方向に延在する計量表示部により計量判別を行うことができるので、計量判別手段の視認性をよいものとすることができる。特に、周方向に延在するローレット２４の計量表示端部２４ａ，２４ｂ又は同２４ｃにより計量判別を行うことができることで、計量判別手段の視認性を大幅に向上させることができ、例えば、ユーザーが老人等の視力が低下している人であっても、一目でその計量の目安を視認することができ、ユーザーに対して優しい、所謂ユーザーフレンドリーな計量キャップ１を得ることができる。
【図面の簡単な説明】
【００４１】
【図１】この発明の第１の実施の形態を示す図で、上蓋の一部断面正面図である。
【図２】（ａ）乃至（ｃ）は何れも同上を示す図で、上蓋の、（ａ）が正面図、（ｂ）が底面図、（ｃ）が断面図である。
【図３】（ａ）及び（ｂ）は何れもこの発明の第２の実施の形態を示す図で、上蓋がキャップ本体に螺着された状態における、（ａ）が一部断面正面図、（ｂ）が正面図である。
【符号の説明】
【００４２】
１      計量キャップ
１０    キャップ本体
１１    嵌着筒
１２    嵌着筒
１３    螺合筒
１４    螺合部
１５    注出筒
１５ａ  注出口
１６    中央蓋体部
１７    プルリング
１８    支柱
２０    上蓋
２１    頂壁
２２    周壁
２２ａ  内側面
２２ｂ  外側面
２３    螺合部
２４    ローレット
２４ａ  計量表示端部
２４ｂ  計量表示端部
２５    目盛り
２６    インナーリング
２６ａ  計量表示周縁部
【図１】
2005263242.tif 000003
【図２】
2005263242.tif 000004
【図３】
2005263242.tif 000005